(57)【要約】【課題】本発明は、組み立て性を向上させるとともにノイズの影響を少なくすることができるカメラの表示装置を提供する。【解決手段】本発明のカメラ１０によれば、ＬＣＤモニタ３８自体を後カバー１４に直接取り付けたので、後カバー１４に対するＬＣＤモニタ３８の位置ずれが無くなる。また、移動式のプラグ本体６４を有するフローティングコネクタによって、ＬＣＤ基板５６側のプラグ５８とカメラ基板６２側のリセプタクル６０とを連結するため、各々の接続位置の自由度が広がる。これにより、各々の位置のずれをプラグ本体６４の移動によって吸収することができるので、前カバー１２と後カバー１４との組み立て性が向上する。更に、フレキシブルプリント基板に代えて、プラグ５８及びリセプタクル６０からなる直結タイプのコネクタを採用したので、ノイズの影響が少なくなり、製造コストも低減できる。【選択図】      図３
2006177996.tif 000002
【特許請求の範囲】
【請求項１】
カメラ本体のカバーに取り付けられた表示部と、
前記表示部と前記カメラ本体内の電子回路部とを接続するとともに、所定の遊びをもって相対的に移動自在に接続されるフローティングコネクタと、
を有することを特徴とするカメラの表示装置。
【請求項２】
前記フローティングコネクタは、前記電子回路部が実装されるカメラ基板と平行な面に対して直進方向又は回動方向に移動自在に取り付けられていることを特徴とする請求項１に記載のカメラの表示装置。
【発明の詳細な説明】
【技術分野】
【０００１】
本発明はカメラの表示装置に係り、特にカメラ本体に設けられた液晶表示装置等の表示装置に関する。
【背景技術】
【０００２】
カメラに設けられている液晶表示装置（以下、ＬＣＤと称する）は、電子ビューファインダとして機能するものの他、撮影モードの表示用として使用されている。図５は、従来のカメラ１であってカメラ１の外装ケースである前カバー２に後カバー３を組み込む前の斜視図が示されている。同図の如くＬＣＤ４は、前カバー２に設けられたカメラ基板５に固定され、カメラ基板５とＬＣＤ基板６とがフレキシブルプリント基板７を介して電気的に接続されている。（例えば、特許文献１参照）。また、後カバー３にはＬＣＤ表示窓８が開口形成され、このＬＣＤ表示窓８にはＬＣＤ保護用の透明パネル９が取り付けられている。
【０００３】
前カバー２に後カバー３を組み込む際には、前カバー２側のＬＣＤ４の位置と後カバー３側のＬＣＤ表示窓８の位置とを合わせて後カバー３を前カバー２に組み込んでいた。
【特許文献１】特開２００２−１６９４７７号公報
【発明の開示】
【発明が解決しようとする課題】
【０００４】
しかしながら、前カバーのカメラ基板にＬＣＤを固定した従来のカメラは、ＬＣＤの位置に対して後カバーのＬＣＤ表示窓の位置がずれると表示自体がずれて見苦しくなるため、カメラ基板に対するＬＣＤの位置決め精度や後カバーのＬＣＤ表示窓の位置決め精度を上げなければならず、組み立てに手間がかかるとともに製造コストも上がるという欠点があった。
【０００５】
また、カメラ基板とＬＣＤ基板とをフレキシブルプリント基板を介して接続する特許文献１のカメラは、フレキシブルプリント基板を使用するが故にノイズの影響を受け易く、ＥＭＩ（Electro Magnetic Interference ：電磁波障害）対策が必要な場合があり、製造コストが上がるという問題があった。
【０００６】
本発明は、このような事情に鑑みてなされたもので、組み立て性を向上させるとともにノイズの影響を少なくすることができるカメラの表示装置を提供することを目的としている。
【課題を解決するための手段】
【０００７】
本発明は、前記目的を達成するために、カメラ本体のカバーに取り付けられた表示部と、前記表示部と前記カメラ本体内の電子回路部とを接続するとともに、所定の遊びをもって相対的に移動自在に接続されるフローティングコネクタと、を有することを特徴としている。
【０００８】
本発明によれば、表示部自体をカバーに設け、表示部側の基板とカメラ本体内の電子回路部との電気的接続を、移動式のフローティングコネクタにて行うことにより、従来の欠点を解消する。すなわち、表示部自体をカバーに直接取り付けることにより、カバーに対する表示部の位置ずれが無くなり、また、基板に対して直進方向又は回動方向に移動式のフローティングコネクタによって連結することにより、表示部側の基板とカメラ本体側の基板との接続位置の自由度が広がるので、組み立て性が向上する。また、フレキシブルプリント基板に代えて、プラグ及びジャックからなる直結タイプのコネクタを採用したので、ノイズの影響が少なくなり、製造コストも低減できる。
【発明の効果】
【０００９】
以上説明したように本発明に係るカメラの表示装置によれば、カメラ本体のカバーに表示部を設けるとともに、表示部側の基板とカメラ本体内の電子回路部とを、移動式のフローティングコネクタを介して接続したので、組み立て性が向上するとともにノイズの影響を少なくすることができる。
【発明を実施するための最良の形態】
【００１０】
以下添付図面に従って、本発明に係るカメラの表示装置の好ましい実施の形態について詳説する。
【００１１】
図１は、本発明に係る表示装置が適用されたカメラ１０の正面斜視図であり、図２はカメラ１０の背面斜視図である。このカメラ１０は、静止画及び動画の記録再生機能を備えたデジタルカメラである。
【００１２】
図１、図２に示すようにカメラ１０のカメラ本体を構成する外装カバー（カバー）は、前カバー１２と後カバー１４とからなる。前カバー１２には、沈胴式の鏡胴１６に設けられた撮影レンズ１８、ファインダー窓２０、ストロボ調光センサ２２、ストロボ発光部２４、及びグリップとして兼用される電源スイッチ２６がそれぞれ所定の位置に設けられている。電源スイッチ２６は、前カバー１２に横方向にスライド自在に設けられ、この電源スイッチ２６をスライドさせることによって、電源がＯＮ／ＯＦＦされる。また、前カバー１２には、撮影レンズ１８を沈胴位置で保護するレンズカバー（不図示）が設けられている。
【００１３】
図１の如く、カメラ１０の外装カバーの上面にはシャッターボタン２８が設けられている。このシャッターボタン２８が半押し操作されると、オートフォーカス機能が作動して撮影レンズ１８によるピント合わせが行われ、シャッターボタン２８が全押し操作されると撮影が行われる。
【００１４】
カメラ１０の外装カバーの側面には、映像用ケーブルが接続されるビデオ端子３０、電源アダプターが接続される電源入力端子３２、ＵＳＢケーブルが接続されるコネクタ３４が設けられるとともに、スピーカ３６がそれぞれ所定の位置に設けられている。なお、コネクタ３４は、クレードルとの接続端子として兼用される。
【００１５】
図２の如くカメラ１０の後カバー１４には、ＬＣＤモニタ（表示部）３８、ファインダー４０、ダイヤル４２、及び複数の操作ボタン４４Ａ、４４Ｂ…４４Ｇがそれぞれ所定の位置に設けられる。ＬＣＤモニタ３８には、カメラ１０が撮影モードの場合に図１の撮影レンズ１４で取り込まれた画像が表示され、電子ビューファインダとして使用されている。また、カメラ１０が再生モードの場合には、撮像されて記録された画像が表示される。なお、このＬＣＤモニタ３８は、撮影モードの表示用としても使用される。
【００１６】
図２のダイヤル４２は、後カバー１４に回動自在に設けられ、このダイヤル４２を回動操作することによって動作モードが選択され、再生モード、撮影モード、或いは動画モード等に切り替えられる。操作ボタン４４Ａには、メニューの呼び出しや各操作を実行する機能が割り当てられ、操作ボタン４４Ｂには、各操作を中止する機能が割り当てられる。操作ボタン４４Ｃにはズーム操作を行う機能が割り当てられ、操作ボタン４４Ｄにはストロボの設定を選択する機能が割り当てられ、操作ボタン４４Ｅには近距離撮影モードを選択する機能が割り当てられる。これらの操作ボタン４４Ｃ〜４４Ｅは、ＬＣＤモニタ３８にメニュー画面を表示した際にカーソルを移動する際や、再生モードでのコマ送り等にも使用される。操作ボタン４４Ｆは画素数や感度を設定するボタンであり、操作ボタン４４Ｇは、表示画面を分割表示する際に使用するボタンである。
【００１７】
また、カメラ１０の外装カバーの底面には、三脚取付用のねじ孔４６と電池カバー４８とが設けられる。電池カバー４８は外装カバーに開閉自在に取り付けられており、回動操作と横方向へのスライド操作を組み合わせることによって開閉される。なお、図２の符号５０は、ストラップ取付用金具である。
【００１８】
図３は、カメラ１０の前カバー１２と後カバー１４とを分離した状態を示した斜視図である。
【００１９】
同図によれば、ＬＣＤパネル３８は、後カバー１４に形成された矩形状の表示窓５２に、枠状のゴムパッキン５４を介して固定されている。また、ＬＣＤパネル３８の裏側に設けられたＬＣＤ基板５６には、フローティングコネクタを構成する雄型端子のプラグ５８が所定の位置に取り付けられ、一方、コネクタを構成する雌型端子のリセプタクル（ジャック）６０は、前カバー１２に固定されたカメラ基板６２の所定の位置に取り付けられている。
【００２０】
プラグ５８は図４の如く、リセプタクル６０に嵌合接続されるプラグ本体６４と、ＬＣＤ基板５６に固定されたベース部６６とから構成され、ベース部６６とプラグ本体６４ととは接片同士の接触により導通されている。また、ベース部６６の上面に凸部６８が形成され、この凸部６８が、プラグ本体６４の下面に形成された凹部７０に隙間Ｃをもって遊嵌されている。したがって、プラグ本体６４は隙間Ｃ（２Ｃ：所定の遊び）分だけベース部６６に対し、すなわちＬＣＤ基板５６に対して直進方向にスライド移動自在に取り付けられている。なお、凸部６８がベース部６６の上面中央に形成されている場合には、プラグ本体６４は凸部６８を中心とした回動方向にも移動することができる。したがって、プラグ５８を上記の如くＬＣＤ基板５６に対して移動自在に取り付けることにより、プラグ５８とリセプタクル６０の接続時において、多少のずれであればプラグ本体６４が移動してそのずれを吸収し、プラグ本体６４がリセプタクル６０に接続される。
【００２１】
よって、前記の如く構成されたカメラ１０によれば、ＬＣＤモニタ３８自体を後カバー１４に直接取り付けたので、後カバー１４に対するＬＣＤモニタ３８の位置ずれが無くなる。また、移動式のプラグ本体６４を有するコネクタによって、ＬＣＤ基板５６側のプラグ５８とカメラ基板６２側のリセプタクル６０とを連結するため、各々の接続位置の自由度が広がる。これにより、各々の位置のずれをプラグ本体６４の移動によって吸収することができるので、前カバー１２と後カバー１４との組み立て性が向上する。
【００２２】
また、フレキシブルプリント基板に代えて、プラグ５８及びリセプタクル６０からなる直結タイプのコネクタを採用したので、ノイズの影響が少なくなり、製造コストも低減できる。
【００２３】
なお、実施の形態では、プラグ５８側をＬＣＤ基板５８に対して移動させる構造としたが、リセプタクル６０側をカメラ基板６２に対して移動させる構造としてもよい。
【００２４】
また、実施の形態では、カメラとしてデジタルカメラを例示したが、これに限定されるものではなく、例えば銀塩フィルムを扱うカメラの表示装置に適用してもよく、また、カメラ付き携帯電話機、ＰＤＡ（Personal Digital Assistant）等の多機能携帯電子通信機器の表示装置にも適用することができる。
【図面の簡単な説明】
【００２５】
【図１】実施の形態の表示装置が適用されたカメラの正面斜視図
【図２】図１に示したカメラの背面斜視図
【図３】図１に示したカメラの表示装置の取付構造を示した斜視図
【図４】図３に示したコネクタのプラグを図３の４−４線から見た側面図
【図５】従来のカメラの表示装置の取付構造を示した斜視図
【符号の説明】
【００２６】
１０…カメラ、１２…前カバー、１４…後カバー、１８…撮影レンズ、２６…電源スイッチ、２８…シャッターボタン、３８…ＬＣＤモニタ、５２…表示窓、５４…ゴムパッキン  ５６…ＬＣＤ基板、５８…プラグ、６０…リセプタクル、６２…カメラ基板、６４…プラグ本体、６６…ベース部、６８…凸部、７０…凹部
【図１】
2006177996.tif 000003
【図２】
2006177996.tif 000004
【図３】
2006177996.tif 000005
【図４】
2006177996.tif 000006
【図５】
2006177996.tif 000007